(57)【要約】【課題】医師等が作成した医療情報の内容を評価しつつ、当該医療情報を他の医師等に効果的に提供することができる医療情報管理装置等を提供すること。【解決手段】医療情報を他の医師の装置である医師側装置３ｂに提供する装置であって、医療情報を記憶する医療情報記憶部２２と、医師側装置情報を記憶する医師側装置情報記憶部２１と、複数の医師側装置情報を複数の異なる範囲の医師側装置区分情報に区分し記憶する医師側装置区分情報記憶部２３と、医療情報を医師側装置区分情報と関連付ける医療情報対応医師側装置区分情報生成部４４と、を有し、医療情報対応医師側装置区分情報に基づいて、表示する医療情報を特定する医療情報特定処理部４６を有し、医師側装置区分情報を変更する医師側装置区分情報変更処理部５６を有する医療情報管理装置１０。【選択図】  図６
2012252564.tif 000002
【特許請求の範囲】
【請求項１】
医師が作成した医療情報を当該医師とは異なる他の医師の装置である医師側装置の表示部に提供する医療情報装置であって、
前記医療情報を記憶する医療情報記憶部と、
前記医師側装置に関する医師側装置情報を記憶する医師側装置情報記憶部と、
前記医療情報を閲覧可能な前記医師側装置の範囲を定めるために、複数の前記医師側装置情報を複数の異なる範囲の医師側装置区分情報に区分し記憶する医師側装置区分情報記憶部と、
前記医療情報を前記医師側装置区分情報と関連付け、医療情報対応医師側装置区分情報とする医療情報対応医師側装置区分情報生成部と、を有し、
前記医療情報対応医師側装置区分情報に基づいて、前記表示部に表示する前記医療情報を特定する医療情報特定処理部を有し、
前記医師側装置区分情報を変更する医師側装置区分情報変更処理部を有することを特徴とする医療情報管理装置。
【請求項２】
前記医師側装置区分情報変更処理部は、少なくとも、前記医師側装置から入力された当該前記医師側装置情報に関する医師側装置区分変更情報に基づいて、前記医師側装置区分情報の区分を変更するか否かを判断することを特徴とする請求項１に記載の医療情報管理装置。
【請求項３】
前記医療情報対応医師側装置区分情報を変更するか否かを判断する区分情報変更判断処理部を有することを特徴とする請求項１又は請求項２に記載の医療情報管理装置。
【請求項４】
前記区分情報変更判断処理部は、少なくとも、前記医師側装置から入力された当該研修医療情報に関する閲覧関連情報に基づいて、前記医療情報対応医師側装置区分情報を変更するか否かを判断する構成となっていることを特徴とする請求項３に記載の医療情報管理装置。
【請求項５】
前記医師側装置による前記医療情報の閲覧回数情報を記憶する閲覧回数情報記憶部を有し、
複数の前記医療情報の前記表示部への表示順が、前記閲覧回数情報に基づき決定されることを特徴とする請求項１乃至請求項４のいずれか１項に記載の医療情報管理装置。
【請求項６】
医師が作成した医療情報を当該医師とは異なる他の医師の装置である医師側装置の表示部に提供する２つ以上の装置を有する医療情報システムであって、
前記医療情報を記憶する医療情報記憶部と、
前記医師側装置に関する医師側装置情報を記憶する医師側装置情報記憶部と、
前記医療情報を閲覧可能な前記医師側装置の範囲を定めるために、複数の前記医師側装置情報を複数の異なる範囲の医師側装置区分情報に区分し記憶する医師側装置区分情報記憶部と、
前記医療情報を前記医師側装置区分情報と関連付け、医療情報対応医師側装置区分情報とする医療情報対応医師側装置区分情報生成部と、を有し、
前記医療情報対応医師側装置区分情報に基づいて、前記表示部に表示する前記医療情報を特定する医療情報特定処理部を有し、
前記医師側装置区分情報を変更する医師側装置区分情報変更処理部を有することを特徴とする医療情報管理システム。
【請求項７】
医師が作成した医療情報を当該医師とは異なる他の医師の装置である医師側装置の表示部に提供する医療情報管理方法であって、
前記医療情報を記憶する医療情報記憶部と、
前記医師側装置に関する医師側装置情報を記憶する医師側装置情報記憶部と、
前記医療情報を閲覧可能な前記医師側装置の範囲を定めるために、複数の前記医師側装置情報を複数の異なる範囲の医師側装置区分情報に区分し記憶する医師側装置区分情報記憶部と、を用いて、
制御部が、前記医療情報を前記医師側装置区分情報と関連付け、医療情報対応医師側装置区分情報とする工程と、
前記医療情報対応医師側装置区分情報に基づいて、前記表示部に表示する前記医療情報を特定する工程と、
前記医師側装置区分情報を変更する工程と、を有することを特徴とする医療情報管理方法。
【請求項８】
医師が作成した医療情報を当該医師とは異なる他の医師の装置である医師側装置の表示部に提供する医療情報管理プログラムであって、
前記医療情報を記憶する医療情報記憶部と、
前記医師側装置に関する医師側装置情報を記憶する医師側装置情報記憶部と、
前記医療情報を閲覧可能な前記医師側装置の範囲を定めるために、複数の前記医師側装置情報を複数の異なる範囲の医師側装置区分情報に区分し記憶する医師側装置区分情報記憶部と、を用いて、
制御部に、前記医療情報を前記医師側装置区分情報と関連付け、医療情報対応医師側装置区分情報とさせる工程と、
前記医療情報対応医師側装置区分情報に基づいて、前記表示部に表示する前記医療情報を特定させる工程と、
前記医師側装置区分情報を変更させる工程と、を有することを特徴とする医療情報管理プログラム。
【発明の詳細な説明】
【技術分野】
【０００１】
本発明は、例えば、医師等の医療情報を管理する医療情報管理装置、医療情報管理システム、医療情報管理方法及び医療情報管理プログラムに関するものである。
【背景技術】
【０００２】
従来より、インターネット網等を介して各種医療情報を公開することにより、医療情報の促進、普及を図る提案がなされていた（例えば、特許文献１）。
【先行技術文献】
【特許文献】
【０００３】
【特許文献１】特開２００１−２５６３１１号公報（図１等）
【発明の概要】
【発明が解決しようとする課題】
【０００４】
しかし、インターネット網等を介して広く公開される医療情報は、かかる公開に適した医療情報に限られる。
すなわち、例えば、病院の医師等が作成したスライド等の医療情報は、他の病院等の医師等にとって参考となる場合も考えられるが、その内容によっては、インターネット網で、広範囲の医師等に提供することになじまないという問題があった。
【０００５】
そこで、本発明は、医師等が作成した医療情報の内容を評価しつつ、当該医療情報を他の医師等に効果的に提供することができる医療情報管理装置、医療情報管理システム、医療情報管理方法及び医療情報管理プログラムを提供することを目的とする。
【課題を解決するための手段】
【０００６】
前記課題は、本発明によれば、医師が作成した医療情報を当該医師とは異なる他の医師の装置である医師側装置の表示部に提供する医療情報装置であって、前記医療情報を記憶する医療情報記憶部と、前記医師側装置に関する医師側装置情報を記憶する医師側装置情報記憶部と、前記医療情報を閲覧可能な前記医師側装置の範囲を定めるために、複数の前記医師側装置情報を複数の異なる範囲の医師側装置区分情報に区分し記憶する医師側装置区分情報記憶部と、前記医療情報を前記医師側装置区分情報と関連付け、医療情報対応医師側装置区分情報とする医療情報対応医師側装置区分情報生成部と、を有し、前記医療情報対応医師側装置区分情報に基づいて、前記表示部に表示する前記医療情報を特定する医療情報特定処理部を有し、前記医師側装置区分情報を変更する医師側装置区分情報変更処理部を有することを特徴とする医療情報管理装置により達成される。
【０００７】
前記構成によれば、医療情報を閲覧可能な医師側装置の範囲を定めるために、複数の医師側装置情報を複数の異なる範囲の医師側装置区分情報に区分し記憶する医師側装置区分情報記憶部と、医療情報を医師側装置区分情報と関連付け、医療情報対応医師側装置区分情報とする医療情報対応医師側装置区分情報生成部を有している。
このため、例えば、医療情報を閲覧可能な医師の範囲、すなわち、医師側装置の範囲である医師側装置区分情報は、複数の異なる範囲の医師側装置区分情報として医師側装置区分情報記憶部に記憶される。したがって、医師側装置区分情報によって、その範囲の医師側端末の範囲が異なるようになっている。
【０００８】
したがって、医療情報対応医師側装置区分情報生成部により、特定の医療情報を範囲の異なる医師側装置区分情報のいずれか１つ等と関連付けることで、当該医療情報を表示する医師側装置の範囲を選択することができる。
【０００９】
すなわち、医療情報対応医師側装置区分情報生成部は、特定の医療情報を表示する医師側装置の範囲が適切になるように、医師側装置区分情報を選択することができる。
このため、例えば、特定の医療情報の内容が不十分であれば、当該医療情報の表示可能な医師側装置の範囲が狭い医師側装置区分情報を選択できる。また、逆に、その内容が十分であれば、表示可能な医師側装置の範囲が広い医師側装置区分を選択することができる。
これにより、医療情報の内容を評価しつつ、当該医療情報を効果的に他の医師に提供することができる。
【００１０】
また、前記構成によれば、医師側装置区分情報を変更する医師側装置区分情報変更処理部を有するので、例えば、特定の医師側装置区分に含まれている医師側装置も、その後の事情の変更に基づき、その属する医師側装置区分を変更することができる。
したがって、この医師側装置区分の変更により、例えば、変更後、医師側装置は、従来、閲覧できなかった医療情報を閲覧可能になる。このため、医療情報の閲覧可能範囲等を柔軟に変更することができ、医療情報のより効果的な利用が可能となる。
【００１１】
好ましくは、前記医師側装置区分情報変更処理部は、少なくとも、前記医師側装置から入力された当該前記医師側装置情報に関する医師側装置区分変更情報に基づいて、前記医師側装置区分情報の区分を変更するか否かを判断することを特徴とする。
【００１２】
前記構成によれば、医師側装置区分情報変更処理部は、医師側装置から入力された当該医師側装置情報に関する医師側装置区分変更情報に基づいて、医師側装置区分情報の区分を変更する。
したがって、当該医師側装置の自らの要求等に基づいても、当該医師側装置の医師側装置区分情報を変更できるので、より柔軟な医療情報の利用が可能となる。
【００１３】
好ましくは、前記医療情報対応医師側装置区分情報を変更するか否かを判断する区分情報変更判断処理部を有することを特徴とする。
【００１４】
前記構成によれば、医療情報対応医師側装置区分情報を変更するか否かを判断する区分情報変更判断処理部を有する。このため、一旦、対応する医師側装置区分情報区分を定めた医療情報であっても、その後の医師等からの反響等に基づいて、対応する医師側装置区分情報を変更することができる。
例えば、一旦、限られた医師側装置区分情報の範囲内の医師側装置のみで閲覧可能とした医療情報を、その後の医師等からの反響等の大きさ等に基づき、より広い範囲の医師側装置が閲覧可能となるように医師側装置区分情報を変更することができる。
したがって、医療情報の閲覧範囲等を柔軟に変更等することができるので、より効果的に医療情報を医師等に提供することができる。
【００１５】
好ましくは、前記区分情報変更判断処理部は、少なくとも、前記医師側装置から入力された当該研修医療情報に関する閲覧関連情報に基づいて、前記医療情報対応医師側装置区分情報を変更するか否かを判断する構成となっていることを特徴とする。
【００１６】
前記構成によれば、区分情報変更判断処理部は、少なくとも、前記医師側装置から入力された当該医療情報に関する閲覧関連情報に基づいて、前記医療情報対応医師側装置区分情報を変更するか否かを判断する。したがって、実際に医療情報を閲覧等している医師の評価等に基づいて、効率的に当該医療情報を医師に提供することができる。
【００１７】
好ましくは、前記医師側装置による前記医療情報の閲覧回数情報を記憶する閲覧回数情報記憶部を有し、複数の前記医療情報の前記表示部への表示順が、前記閲覧回数情報に基づき決定されることを特徴とする。
【００１８】
前記構成によれば、複数の医療情報の表示部への表示順が、閲覧回数情報に基づき決定されるので、より有効な医療情報が上位に表示され、表示部を閲覧している医師が、効率的に医療情報を把握することができる。
【００１９】
前記目的は、本発明によれば、医師が作成した医療情報を当該医師とは異なる他の医師の装置である医師側装置の表示部に提供する２つ以上の装置を有する医療情報システムであって、前記医療情報を記憶する医療情報記憶部と、前記医師側装置に関する医師側装置情報を記憶する医師側装置情報記憶部と、前記医療情報を閲覧可能な前記医師側装置の範囲を定めるために、複数の前記医師側装置情報を複数の異なる範囲の医師側装置区分情報に区分し記憶する医師側装置区分情報記憶部と、前記医療情報を前記医師側装置区分情報と関連付け、医療情報対応医師側装置区分情報とする医療情報対応医師側装置区分情報生成部と、を有し、前記医療情報対応医師側装置区分情報に基づいて、前記表示部に表示する前記医療情報を特定する医療情報特定処理部を有し、前記医師側装置区分情報を変更する医師側装置区分情報変更処理部を有することを特徴とする医療情報管理システムにより達成される。
【００２０】
前記目的は、本発明によれば、医師が作成した医療情報を当該医師とは異なる他の医師の装置である医師側装置の表示部に提供する医療情報管理方法であって、前記医療情報を記憶する医療情報記憶部と、前記医師側装置に関する医師側装置情報を記憶する医師側装置情報記憶部と、前記医療情報を閲覧可能な前記医師側装置の範囲を定めるために、複数の前記医師側装置情報を複数の異なる範囲の医師側装置区分情報に区分し記憶する医師側装置区分情報記憶部と、を用いて、制御部が、前記医療情報を前記医師側装置区分情報と関連付け、医療情報対応医師側装置区分情報とする工程と、前記医療情報対応医師側装置区分情報に基づいて、前記表示部に表示する前記医療情報を特定する工程と、前記医師側装置区分情報を変更する工程と、を有することを特徴とする医療情報管理方法により達成される。
【００２１】
前記目的は、本発明によれば、医師が作成した医療情報を当該医師とは異なる他の医師の装置である医師側装置の表示部に提供する医療情報管理プログラムであって、前記医療情報を記憶する医療情報記憶部と、前記医師側装置に関する医師側装置情報を記憶する医師側装置情報記憶部と、前記医療情報を閲覧可能な前記医師側装置の範囲を定めるために、複数の前記医師側装置情報を複数の異なる範囲の医師側装置区分情報に区分し記憶する医師側装置区分情報記憶部と、を用いて、制御部に、前記医療情報を前記医師側装置区分情報と関連付け、医療情報対応医師側装置区分情報とさせる工程と、前記医療情報対応医師側装置区分情報に基づいて、前記表示部に表示する前記医療情報を特定させる工程と、前記医師側装置区分情報を変更させる工程と、を有することを特徴とする医療情報管理プログラムにより達成される。
【発明の効果】
【００２２】
本発明は、医師等が作成した医療情報の内容を評価しつつ、当該医療情報を他の医師等に効果的に提供することができる医療情報管理装置、医療情報管理システム、医療情報管理方法及び医療情報管理プログラムを提供できるという利点がある。
【図面の簡単な説明】
【００２３】
【図１】本発明の実施の形態に係る医療情報管理システムである例えば、研修情報管理システムを示す概略図である。
【図２】研修医端末等、指導医端末等及び管理サーバの共通する主なハードウエア構成等を示す概略図である。
【図３】図１の管理サーバの主な構成を示す概略ブロック図である。
【図４】図３の第２記憶部に格納されている各種処理部（プログラム）等を示す概略図である。
【図５】研修情報管理システムの事前登録工程を示す概略フローチャートである。
【図６】研修医等が作成した医療スライドを管理サーバに登録する医療スライド登録工程を示す概略フローチャートである。
【図７】研修医端末等が管理サーバに登録されている医療スライドを閲覧する閲覧工程を示す概略フローチャートである。
【図８】研修医端末等が管理サーバに登録されている医療スライドを閲覧する閲覧工程を示す他の概略フローチャートである。
【図９】医療スライドのレベル変更工程（その１）を示す概略フローチャートである。
【図１０】医療スライドのレベル変更工程（その２）を示す概略フローチャートである。
【図１１】病院レベルデータ記憶部で記憶されている各レベルの病院を変更する病院のレベル変更工程（その１）を示す概略フローチャートである。
【図１２】病院のレベル変更工程（その２）を示す概略フローチャートである。
【発明を実施するための形態】
【００２４】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
図１は、本発明の実施の形態に係る医療情報管理システムである例えば、研修情報管理システム１を示す概略図である。
図１に示すように、研修情報管理システム１は、例えば、病院Ａ、Ｂ、Ｃに配置され、医師である例えば、研修医等が操作する医師側装置の一例であるコンピュータを有する研修医端末２ａ、２ｂ、２ｃ、２ｄ、２ｅと、研修医を指導する医師である例えば、指導医が操作するコンピュータを有する指導医端末３ａ、３ｂ、３ｃを有すると共に、医療情報管理装置である例えば、コンピュータを有する管理サーバ１０を有している。
【００２６】
これら研修医端末２ａ等及び指導医端末３ａ等には、医師が、その衣服のポケット等に収納して持ち運ぶことができる程度に小型の移動可能な端末である、例えば、スマートフォン等も含まれる。
これら研修医端末２ａ等、指導医端末３ａ等は、図１に示すように、中継局５ａ、５ｂ、５ｃを介して、インターネット網４に通信可能に接続されている。また、このインターネット網４には、管理サーバ１０が通信可能に接続されているので、研修医端末２ａ等、指導医端末３ａ等は、インターネット網４を介して、管理サーバ１０と通信可能に接続されている。
【００２７】
図２は、研修医端末２ａ等、指導医端末３ａ等及び管理サーバ１０の共通する主なハードウエア構成等を示す概略図である。
研修医端末２ａ等は、上述のようにコンピュータを有し、ＣＰＵ（Ｃｅｎｔｒａｌ  Ｐｒｏｃｅｓｓｉｎｇ  Ｕｎｉｔ）６、ＲＡＭ（Ｒａｎｄｏｍ  Ａｃｃｅｓｓ  Ｍｅｍｏｒｙ）７、ＲＯＭ（Ｒｅａｄ  Ｏｎｌｙ  Ｍｅｍｏｒｙ）８、計時装置９、入力装置１１、通信装置１２、ディスプレイ１３を有し、これらは、バス１４を介して接続されている。
【００２８】
なお、バス１４は、すべてのデバイスを接続する機能を有し、アドレスバスやデータバスを有する内部バスである。ＣＰＵ６等は所定のプログラムの処理を行う他、バス１４等に接続されたＲＯＭ８等を制御している。ＲＯＭ８等は、各種プログラムや各種情報等を格納している。ＲＡＭ７は、プログラム処理中のメモリの内容を対比し、プログラムを実行するためのエリアとしての機能を有する。
【００２９】
図３は、図１の管理サーバ１０の主な構成を示す概略ブロック図である。
図３に示すように、管理サーバ１０は、サーバ側制御部１５を有している。そして、サーバ側ディスプレイ１３ａや、図１の研修医端末２ａ等や指導医端末３ａ等と通信するためのサーバ側通信装置１２ａ、そして、サーバ側計時装置９ａ、サーバ側入力装置１１ａ等が、サーバ側制御部１５で制御される構成となっている。
また、図３に示すように、管理サーバ１０は、第１記憶部２０及び第２記憶部４０を有しており、第１記憶部２０は、図３に示すように、各種記憶部が格納され、第２記憶部４０には、図４に示すように、各種処理部（プログラム）等が示されているが、これらについては、後述する。
図４は、図３の第２記憶部４０に格納されている各種処理部（プログラム）等を示す概略図である。
【００３０】
図５乃至図１２は、研修情報管理システム１の主な動作等を示す概略フローチャートである。以下、図５等のフローチャートに沿って、研修情報管理システム１の動作等を説明すると共に、図１乃至図４の構成も併せて説明する。
【００３１】
本実施の形態に係る研修情報管理システム１は、例えば、図１の病院Ａの研修医甲が研修で医療情報である例えば、医療スライドを作成し、自己の研修医端末２ａから、この医療スライドを管理サーバ１０に送信し、管理サーバ１０は、受信した医療スライドを管理する構成となっている。  
そして、管理サーバ１０は、自己が管理している医療スライドについて、研修医端末２ｂ等や指導医端末３ａ等から閲覧希望があったときは、閲覧を希望する研修医端末２ｂ等に、当該医療スライドの閲覧を許可するか否かを判断する構成となっている。
【００３２】
このため、研修医の作成した医療スライドの内容が良い場合は、より広範囲の研修医等に、当該医療スライドを提供できるので、他の研修医にとって、有効な医療情報を得る機会を与えることができる。
一方、研修医の作成した医療スライドの内容が広範囲の医師に提供することになじまない場合は、閲覧できる研修医等の範囲を狭めることで、適切な範囲の研修医等にのみ当該医療スライドを閲覧させることができ、当該医療スライドをより効果的に利用することができる。
【００３３】
以下、具体的に説明する。図５は、研修情報管理システム１の事前登録工程を示す概略フローチャートである。
図５のステップ（以下「ＳＴ」と称す。）１では、図１のＡ病院等の研修医端末２ａ等や指導医端末３ａ等が、管理サーバ１０に自己の情報を登録する。具体的には、図４の登録処理部（プログラム）４１が動作し、医師側装置情報記憶部である例えば、図３の端末データ記憶部２１に、各研修医端末２ａ等や指導医端末３ａ等の氏名（若しくはＩＤ情報）、所属する病院名情報、担当する診療科等の情報が登録される。
このとき、研修医端末２ａ等の場合は、当該研修医の担当の指導医の指導医端末３ａ等の情報が関連付けられて登録される。
本実施の形態の形態では、説明の便宜のため、図１の研修医端末２ａを操作するＡ病院の研修医甲の指導医に、指導医端末３ａを操作するＡ病院の指導医乙が関連付けられているとして、以下説明する。
なお、この工程で、事前登録工程は終了する。
【００３４】
図６は、研修医等が作成した医療スライドを管理サーバ１０に登録する医療スライド登録工程を示す概略フローチャートである。
図６のＳＴ１１では、図５の事前登録工程で管理サーバ１０に登録された研修医端末２ｃ等や指導医端末３ａ等を介して、研修医等が自己の医療スライドを管理サーバ１０へ送信する。具体的には、この医療スライドは、氏名（若しくはＩＤ情報）、送信時刻、医療スライドのタイトル、概要の各情報と共に、管理サーバ１０に送信する。
本実施の形態では、上述の研修医甲が自己の研修医端末２ａを用いて、自己が作成した医療スライドを管理サーバ１０へ送信する例で以下説明する。
【００３５】
研修医甲は、管理サーバ１０にインターネット網４を介して、アクセスした後、図示しない認証工程を経る。その後、ＳＴ１１で、研修医甲は、自己の医療スライドのデータを、研修医端末２ａを介して、氏名（ＩＤ情報）、送信時刻、医療スライドのタイトル及び医療スライドの概要等のデータと共に送信する。
【００３６】
すると、ＳＴ１２で、管理サーバ１０が、受信した研修医甲の医療スライド等のデータを医療情報記憶部である例えば、図３の医療スライドデータ記憶部２２に記憶する。
具体的には、図４の医療スライド登録処理部（プログラム）４２が動作し、図３の端末データ記憶部２１を参照して、医療スライドデータを送信した研修医端末２ａに関する病院名データ、診療科データ及び担当指導医データと関連付けて、医療スライドデータ記憶部に２２に記憶する。
【００３７】
次いで、ＳＴ１３へ進む。ＳＴ１３では、図３の医療スライドデータ記憶部２２内に記憶された、研修医甲の担当指導医情報に基づいて、担当指導医を特定し、当該担当指導医、上述の例では指導医乙の指導医端末３ａに自己の担当研修医の医療スライドが登録されたことを報知し、医療スライドのレベルの特定を要請する。
具体的には，図４の指導医特定処理部（プログラム）４３が動作し、上述の例では、指導医端末３ａのディスプレイ１３に、研修医甲の医療スライドと、レベル特定用データが表示される。
【００３８】
レベル特定用データは、医師側装置区分情報記憶部である例えば、図３の病院レベルデータ記憶部記憶部２３内のデータが使用される。この病院レベルデータ記憶部２３内には、例えば、レベル１乃至レベル４の４つの医師側装置区分情報である例えば、レベルデータが予め定義され、記憶されている。
【００３９】
レベル１は、医療スライドを提供した研修医端末２ａ等が属する病院内の研修医端末２ｂ等に限り、当該医療スライドを閲覧できるレベルである。上述の例では、研修医甲の研修医端末２ａが属する病院Ａ内の研修医端末２ｂ等のみが、当該医療スライドを閲覧できることになる。
【００４０】
レベル２は、医療スライドを提供した研修医端末２ａ等が属する病院の研修医端末２ｂ等及び特定病院、例えば、病院Ｂに属する研修医端末２ｃ等が当該医療スライドを閲覧できるレベルである。上述の例では、病院Ｂの研修医端末２ｃ等も研修医甲の医療スライドを閲覧できることになる。
【００４１】
レベル３は、レベル２より広範囲の特定病院、例えば、病院Ｂ及び病院Ｃに属する研修医端末２ｃ等及び研修医端末２ｅ等も当該医療スライドを閲覧できるレベルとなる。上述の例では、病院Ｂの研修医端末２ｃ等や病院Ｃの研修医端末２ｅ等も研修医甲の医療スライドを閲覧できることになる。
【００４２】
レベル４は、病院Ａ、Ｂ、Ｃのみならず、管理サーバ１０に接続されている全て病院に属する研修医端末２ｂ等が当該医療スライドを閲覧できるレベルである。
【００４３】
本実施の形態では、上述のように、当該医療スライドが閲覧できる範囲を限定若しくは広げることで、医療スライドの内容に応じた閲覧範囲を定めることができる構成となっている。例えば、当該医療スライドの内容が不十分な場合は、レベル１に限定する。一方、その内容が広く他の病院の研修医等の参考となる場合は、その内容の程度等に応じてレベル２乃至レベル４に分類することで、より精緻で適確な医療情報を他の研修医等に提供でき、その研修の効果を最大限に活用することができる。
【００４４】
ここで、図６に戻り、ＳＴ１４へ進む。ＳＴ１４では、担当指導医端末３ｃから上述のレベル１乃至レベル４に特定する旨の信号が入力されたか否かが判断される。
ＳＴ１４で、かかるレベルの特定信号が入力された場合は、その入力されたレベルに応じて、ＳＴ１５乃至ＳＴ１８のいずれかの工程が実行される。
【００４５】
すなわち、例えば、レベル１と判断された場合は、レベル１のデータが、図３の医療スライドデータ記憶部２２内の当該医療スライドデータと関連付けられて記憶される。
この関連付けられたデータが、レベル関連医療スライドデータであり、医療情報対応医師側装置区分情報の一例となる。
上述の例では、研修医甲の医療スライドは、レベル１（病院Ａの研修医端末２ｂ等のみ閲覧可）と関連つけられて医療スライドデータ記憶部２２に記憶される。この動作は，図４の医療情報対応医師側装置区分情報生成部である例えば、レベル判断登録処理部（プログラム）４４により実行される。
【００４６】
次いで、ＳＴ１９へ進み、当該医療スライドを提供した研修医甲に所定のポイントが付与される。具体的には、図４のポイントデータ登録処理部（プログラム）４５が、所定のポイントを図３の端末データ記憶部２１内の端末の氏名データ（ＩＤ）と関連付けて登録される。
上述の例では、研修医甲の研修医端末２ａの氏名データ（ＩＤ）等と関連付けられて登録される。したがって、研修医甲は、医療スライドを提供すればするほど、ポイントを蓄積させることができ、このポイント数で何らかの優遇等を得ることができる。
以上で、医療スライド登録工程が終了する。
【００４７】
図７は、研修医端末２ｂ等が管理サーバ１０に登録されている医療スライドを閲覧する閲覧工程を示す概略フローチャートである。
本実施の形態では、図１のＡ病院の研修医丙が、自己の研修医端末２ｂを用いて管理サーバ１０の医療スライドを閲覧する場合を例に以下、説明する。
先ず、研修医丙は、例えば、「循環器」に関する医療スライドの閲覧を希望しているので、研修医丙は、自己の研修医端末２ｂに、閲覧に関する「キーワード（検索用情報）」として例えば、「循環器」を記憶させる。
【００４８】
この状態で、図７のＳＴ２１へ進む。ＳＴ２１では、研修医端末２ｂが、図１のインターネット網４を介して、管理サーバ１０へ接続し、所定の認証工程を経た後、自己が記憶している「キーワード」である「循環器」のデータと共に、医療スライドの閲覧要求の信号を送信する。
【００４９】
次いで、ＳＴ２２へ進む。ＳＴ２２では、管理サーバ１０は、端末データ記憶部２１を参照し、研修医端末２ｂの氏名（ＩＤ）データ等から研修医端末２ｂの属する病院データ、本例では、Ａ病院を取得する。
そして、管理サーバ１０は、研修医端末２ｂから受信した「キーワード」及び研修医端末２ｂが属する病院データ（例えば、Ａ病院）に基づき、図３の医療スライドデータ記憶部２２を参照し、研修医端末２ｂが、閲覧可能な医療スライドを検索する。そして、抽出された閲覧可能な医療スライドを図３の閲覧可能医療スライドデータ記憶部２４に記憶させる。
【００５０】
具体的には、医療情報特定処理部である例えば、図４の閲覧可能医療スライドデータ取得処理部（プログラム）４６が動作し、「循環器」の「キーワード」を含む医療スライドで、当該医療スライドと関連付けられているレベルで、Ａ病院が閲覧可能となっているか否かを判断する。
【００５１】
このように、研修医甲が提供した医療スライドは、その担当指導医乙によりレベル分けされた結果に基づき、その範囲内の病院の研修医端末２ｂ等に提供されるため、医療スライドを極めて適切に利用することができる。
【００５２】
次いで、ＳＴ２３へ進む。ＳＴ２３では、図３の閲覧回数医療スライドデータ記憶部２４内に記憶されている医療スライドデータの数が５０以上であるか否かを判断する。
そして、ＳＴ２３で、医療スライドデータの数が５０以上の場合は、ＳＴ２４へ進む。ＳＴ２４では、閲覧回数情報記憶部である例えば、閲覧回数医療スライドデータ記憶部２４内の各医療スライドデータの現在までの閲覧回数データを図３の医療スライドデータ記憶部２２から取得し、閲覧回数の多い順に、そのタイトルを研修医端末２ｂのディスプレイ１３に表示する。
【００５３】
一方、ＳＴ２３で、医療スライドデータの数が５０未満の場合は、ＳＴ２５へ進む。ＳＴ２５では、閲覧回数医療スライドデータ記憶部２４内の各医療スライドデータの送信時刻データを取得し、そのタイトルを投稿時刻順に研修医端末２ｂのディスプレイ１３に表示する。
これら動作は，図４の閲覧回数医療スライドデータ取得判断処理部（プログラム）４７が実行する。
【００５４】
したがって、閲覧を希望する医療スライドデータが多い場合は、最も閲覧回数が多い、すなわち、閲覧する価値が高い医療スライドから順に、そのタイトルがディスプレイ１３に表示されるので、研修医丙は効率良く、医療スライドを閲覧することができる。
また、医療スライドデータの数が５０未満で、それほど多くない場合は、研修医丙が、投稿順（時系列）に医療スライドのタイトルを閲覧することができる。
【００５５】
次いで、ＳＴ２６へ進む。ＳＴ２６では、研修医丙が研修医端末２ｂのディスプレイ１３上に表示されている医療スライドのタイトルを選択したか否かが判断される。
ＳＴ２６で、研修医端末２ｂの入力装置１１により選択信号が入力されると、ＳＴ２７で、当該選択された医療スライドデータの概要及び詳細な内容がディスプレイ１３に表示される。
したがって、これにより、研修医丙に、研修医甲等が提供した医療スライドデータが提供され、医療スライドデータが有効に活用されることになる。
【００５６】
次いで、ＳＴ２８へ進む。ＳＴ２８では、図４の閲覧回数処理部（プログラム）４８が動作し、図３の医療スライドデータ記憶部２２の当該医療スライドデータの閲覧回数に「１」を加算処理する。
これにより、当該医療スライドデータの累計の閲覧回数データを取得することができる。
【００５７】
次いで、ＳＴ２９へ進む。ＳＴ２９では、研修医端末２ｂのディスプレイ１３に、医療スライドデータの評価入力画面を表示する。具体的には、例えば、「○」「△」「×」等の記号を選択して評価する構成となっている。
【００５８】
次いで、ＳＴ３０へ進む。ＳＴ３０では、図４の評価入力判断処理部（プログラム）４９が動作し、研修医丙が研修医端末２ｂを介して、評価を入力したか否かを判断する。
ＳＴ３０で、評価入力があったと判断した場合は、ＳＴ３１へ進む。ＳＴ３１では、図４の閲覧評価点処理部（プログラム）５０が動作し、入力された評価点データを図３の医療スライドデータ記憶部２２内の当該医療スライドデータの閲覧評価点に加算処理を行う。例えば、「○」を６点、「△」を３点、「×」を０点として、加算処理を行う。
したがって、当該医療スライドデータの累計の評価点データを取得することができる。
【００５９】
次いで、ＳＴ３２へ進む。ＳＴ３２では、研修医丙の研修医端末２ｂにコメントの入力があったか否かを判断し、コメントの入力があった場合は、ＳＴ３３で、その旨を当該医療スライドの提供者の端末、例えば、上記の例では、研修医甲の研修医端末２ａのディスプレイ１３に表示する。
かかる動作は、図４のコメント投稿判断処理部（プログラム）５１が、医療スライドデータ記憶部２２等を参照して、実行する。
以上で、閲覧工程が終了する。
【００６０】
図９は、医療スライドのレベル変更工程（その１）を示す概略フローチャートである。
研修医甲等が研修医端末２ａ等を介して管理サーバ１０に提供した医療スライドデータは、上述のように、ＳＴ１５乃至ＳＴ１８で、そのレベル（本実施の形態では、レベル１乃至レベル４）が特定されるが、このレベルは、その時点で特定の担当指導医が決定したものであるため、その後、変更する必要が生じる場合がある。そこで、図９に示すような、医療スライドのレベル変更工程を実行する。
【００６１】
先ず、ＳＴ４１では、図４の登録期間判断処理部（プログラム）５２が動作し、図２の計時装置９を参照し、図３の医療スライドデータ記憶部２２内に記憶されている医療スライドデータが送信時刻から起算して所定期間経過しているか否かを判断する。
ＳＴ４１で、所定期間を経過した医療スライドデータが存在する場合は、ＳＴ４２へ進む。ＳＴ４２では、図４の医療スライドデータ削除処理部（プログラム）５３が動作し、当該所定期間を経過した医療スライドデータを医療スライドデータ記憶部２２から削除する。
これにより、既に他の研修医等が閲覧する価値が低いデータを効率的に閲覧対象から排除することができる。
【００６２】
ＳＴ４１で、所定期間を経過した医療スライドデータがない場合、または、ＳＴ４２で所定期間を経過した医療スライドデータを削除した後、ＳＴ４３へ進む。
ＳＴ４３では、図３の医療スライドデータ記憶部２２内に記憶されている医療スライドデータの累積閲覧回数が１００以上か、若しくは累積閲覧評価点が１００以上か否かを判断し、いずれかに該当する場合は、ＳＴ４４へ進む。
【００６３】
ＳＴ４４では、ＳＴ４３でいずれかに該当した医療スライドデータと関連付けられているレベルデータを１段階上げる。
例えば、上述の例では、研修医甲の医療スライドデータは、担当指導医によって「レベル１」と特定されていたが、累積閲覧回数が１００以上か、若しくは累積閲覧評価点が１００以上の場合は、担当指導医の判断を介さずに、１段階上の「レベル２」と変更される。
すなわち、他の研修医等による閲覧が多い医療スライドデータや、評価の高い医療スライドデータは、より広い研修医等に閲覧させるべきと判断し、「レベル」を自動的に上昇させる構成となっている。したがって、迅速に有効な情報を、より広い研修医等に提供することができる。
【００６４】
ＳＴ４３で、 「ＮＯ」の判断があった場合は、ＳＴ４５へ進む。ＳＴ４５では、図３の医療スライドデータ記憶部２２内に記憶されている医療スライドデータの累積閲覧回数が１００以上で、且つ累積閲覧評価点が１００以上か否かを判断する。そして、該当する場合は、ＳＴ４６へ進む。
ＳＴ４６では、ＳＴ４５で該当した医療スライドデータと関連付けられているレベルデータを２段階上げる。
【００６５】
例えば、上述の例では、研修医甲の医療スライドデータは、担当指導医によって「レベル１」と特定されていたが、累積閲覧回数が１００以上で、且つ累積閲覧評価点が１００以上の場合は、担当指導医の判断を介さずに、２段階上の「レベル３」と変更される。
すなわち、他の研修医等による閲覧が多い医療スライドデータや、評価の高い医療スライドデータは、さらに、より広い研修医等に閲覧させるべきと判断し、「レベル」を自動的に大きく上昇させる構成となっている。したがって、迅速に有効な情報を、より広い研修医等に提供することができる。
【００６６】
なお、ＳＴ４３乃至ＳＴ４６の処理は、図３の閲覧回数及び閲覧評価点判断処理部（プログラム）５４や区分情報変更判断処理部である例えば、レベル変更処理部（プログラム）５５等が動作して処理する。
このうち、図３の閲覧回数及び閲覧評価点判断処理部（プログラム）５４は、図３の閲覧回数が１００以上か否か、や閲覧評価点が１００点以上か否かを判断し、レベル変更処理部（プログラム）５５は、当該医療スライドデータのレベル変更処置を行う。
また、図３の医療スライドデータ記憶部２２の累積閲覧回数データや累積閲覧評価点データは、閲覧関連情報の一例となっている。
以上で、医療スライドのレベル変更工程（その１）が終了する。
【００６７】
図１０は、医療スライドのレベル変更工程（その２）を示す概略フローチャートである。
先ず、ＳＴ５１で、研修医端末２ａ等から図３の医療スライドデータ記憶部２３内の特定の医療スライドデータについてのレベル変更要求が管理サーバ１０に送信される。
例えば、上述の例では、研修医甲が研修医端末２ａで、自己の提供した特定の医療スライドデータを「レベル１」から「レベル２」へ変更して欲しい旨の変更要求を行う。
【００６８】
すると、ＳＴ５２で、管理サーバ１０は、図３の医療スライドデータ記憶部２２を参照し、変更要求があった医療スライドデータの担当指導医端末２ｃ等を特定し、当該担当指導医端末２ｃ等のディスプレイ１３に、当該医療スライドデータを表示し、レベル変更可否の入力用画面を表示する。
上述の例では、研修医甲の担当指導医乙の端末である指導医端末３ａにかかる画面を表示する。
【００６９】
次いで、ＳＴ５３で担当指導医端末３ａ等が当該医療スライドデータのレベルの変更を認める入力がされたか否かを判断する。
上述の例では、担当指導医乙が指導医端末３ｃを用いて入力する。
ＳＴ５３で、変更を認める入力があった場合は、ＳＴ５４で、当該医療スライドデータのレベルを変更する。
【００７０】
なお、ＳＴ５２乃至ＳＴ５４等の動作は、図４のレベル変更処理部（プログラム）５５等で実行される。
以上で、医療スライドのレベル変更工程（その２）は終了する。
以上のように、医療スライドのレベル変更工程（その２）では、一旦、定めた医療スライドデータのレベルを担当指導医に再考させる機会を提供することができる。
【００７１】
図１１は，図３の病院レベルデータ記憶部２３で記憶されている各レベルの病院を変更する病院のレベル変更工程（その１）を示す概略フローチャートである。
図３の病院レベルデータ記憶部２３内の各レベル、特にレベル２における「特定病院」やレベル３における「レベル２より広範囲な特定病院」に含まれる「病院」は、上述のように予め定められている。また、レベル４の全ての病院も予め定められている。
【００７２】
したがって、レベル３及びレベル４にのみ属し、レベル２の「特定病院」に属さない病院も存在する。
しかし、その後の事情の変化により、レベル３及びレベル４にのみ属し、レベル２の「特定病院」に属さない病院の研修医端末等でもレベル２の医療スライドデータを閲覧可能とすべき場合ある。
また、このように、レベル２の「特定病院」の数を増やすことは、医療スライドデータのより広範囲の利用を可能とすることであり、好ましい。
そこで、本実施の形態では、レベル３やレベル４の病院をレベル２等へ変更する工程を有する。
【００７３】
図１１のフローチャートに沿って、病院のレベル変更工程（その１）を説明する。
先ず、ＳＴ６１では、医師側装置区分情報変更処理部である例えば、図４の病院レベル変更許可処理部（プログラム）５６が動作し、レベル３やレベル４にのみ属する病院（レベル２に属さない病院）の指導医端末から、特定の病院の医療スライドデータについてレベル２への変更要求データ（医師側装置区分変更情報の一例）があったか否かを判断する。
具体的には、例えば、上述の例では、病院Ａの研修医端末２ａ等が提供する医療スライドデータについて、レベル変更を求める。すなわち、病院Ａの研修医端末から提供された医療スライドデータに関するレベル２の「特定病院」に，当該病院を含ませることを求める。
【００７４】
ＳＴ６１で、レベル変更要求があった場合、ＳＴ６２へ進む。ＳＴ６２では、要求のあった病院、上述の例では病院Ａの権限のある指導医端末３ａ等のディスプレイ１３に、かかる要求があったことと、病院レベル変更許可／不許可の指示入力画面を表示する。
その後、ＳＴ６３に進み、ＳＴ６２で入力された通りに、図３の病院レベルデータ記憶部２３のデータを修正する。
ＳＴ６２で、レベル２に変更することを認める場合は、提供された医療スライドデータが病院Ａの研修医端末２ａ等である場合に限り、レベル２に当該病院を加えることとする。すなわち、他の病院、例えば、病院Ｂの場合のレベル２の病院には、含まれない処理を行う。
これらの処理は、図４の病院レベル変更許可処理部（プログラム）５６等が実行する。
【００７５】
このように、本実施の形態では、医療スライドデータの閲覧範囲を柔軟に設定することで、より広範囲な利用を可能にする構成となっている。
【００７６】
図１２は、病院のレベル変更工程（その２）を示す概略フローチャートである。
図１２のフローチャートに従い、病院のレベル変更工程（その２）について説明する。
先ず、ＳＴ７１が実行される。ＳＴ７１では、図４に示す医療スライド量判断処理部５８が動作し、図３の医療スライドデータ記憶部２２内に記憶されている医療スライドデータのうち、特定の病院、例えば、病院Ａの端末が提供した医療スライドデータで、レベル２と指定されている（関連付けられている）医療スライドデータの数が所定量を超えたか否かを判断する。
【００７７】
ＳＴ７１でレベル２と指定されている医療スライドデータが所定量を超えたと判断された場合は、ＳＴ７２へ進む。
ＳＴ７２では、管理サーバ１０が、図３の病院レベルデータ記憶部２３のうち、特定病院、例えば、上記例では、病院Ａに関する医療スライドデータについて、レベル２に含まれず、レベル３にのみ含まれている「特定病院」を抽出する。
そして、これら抽出された「特定病院」の権限ある指導医の指導医端末のディスプレイ１３に、特定の病院、上記例では病院Ａの医療スライドデータでレベル２と指定された医療スライドの閲覧を希望若しくは拒否するか否かの選択画面を表示する。
【００７８】
次いで、ＳＴ７３へ進む。ＳＴ７３では、図４の閲覧希望判断処理部（プログラム）５９が動作し、上述のレベル３の「特定病院」の指導医端末からレベル２に指定されている医療スライドデータの閲覧希望があったか否かを判断する。
【００７９】
ＳＴ７３で、レベル３の「特定病院」の指導医端末から閲覧希望があった場合は、ＳＴ７４へ進む。ＳＴ７４では、特定の病院、上記例では、病院Ａの権限ある指導医端末３ａのディスプレイ１３に、閲覧希望のあったレベル３の「特定病院」名と、許可／不許可の指示入力画面を対応付けて、ディスプレイ１３に表示する。
【００８０】
次いで、ＳＴ７５へ進む。ＳＴ７５では、特定の病院、上記例では病院Ａの権限ある指導医端末３ａ等のＳＴ７４における指示に従い、許可の下りたレベル３の「特定病院」のみを、病院Ａの医療スライドデータのみの関係で、レベル２へ変更する。
したがって、特定の病院、例えば、病院Ａのレベル２の医療スライドデータが多く蓄積し、他の病院、特にレベル３の「特定病院」にも閲覧させるべき状態になった場合、病院Ａの許可を得ることを条件に、閲覧させることができるので、極めて柔軟に且つ効果的に研修医等が作成した医療スライドデータを他の研修医等に提供することができる。
【符号の説明】
【００８１】
１・・・研修情報管理システム、２ａ乃至２ｆ・・・研修医端末、３ａ乃至３ｃ・・・研修医端末、４・・・インターネット網、５ａ乃至５ｃ・・・中継局、６・・・ＣＰＵ、７・・・ＲＡＭ、８・・・ＲＯＭ、９・・・計時装置、９ａ・・・サーバ側計時装置、１０・・・管理サーバ、１１・・・入力装置、１１ａ・・・サーバ側入力装置、１２・・・通信装置、１２ａ・・・サーバ側通信装置、１３・・・ディスプレイ、１３ａ・・・サーバ側ディスプレイ、１４・・・バス、１５・・・サーバ側制御部、２０・・・第１記憶部、２１・・・端末データ記憶部、２２・・・医療スライドデータ記憶部、２３・・・病院レベルデータ記憶部記憶部、２４・・・閲覧可能医療スライドデータ記憶部、４０・・・第２記憶部、４１・・・登録処理部（プログラム）、４２・・・医療スライド登録処理部（プログラム、４３・・・指導医特定処理部（プログラム）、４４・・・レベル判断登録処理部（プログラム）、４５・・・ポイントデータ登録処理部（プログラム）、４６・・・閲覧可能医療スライドデータ取得処理部（プログラム）、４７・・・閲覧回数医療スライドデータ取得判断処理部（プログラム）、４８・・・閲覧回数処理部（プログラム）、４９・・・評価入力判断処理部（プログラム）、５０・・・閲覧評価点処理部（プログラム）、５１・・・コメント投稿判断処理部（プログラム）、５２・・・登録期間判断処理部（プログラム）、５３・・・医療スライドデータ削除処理部（プログラム）、５４・・・閲覧回数及び閲覧評価点判断処理部（プログラム）、５５・・・レベル変更処理部（プログラム）、５６・・・病院レベル変更許可処理部（プログラム）、５８・・・医療スライド量判断処理部、５９・・・閲覧希望判断処理部（プログラム）
【図１】
2012252564.tif 000003
【図２】
2012252564.tif 000004
【図３】
2012252564.tif 000005
【図４】
2012252564.tif 000006
【図５】
2012252564.tif 000007
【図６】
2012252564.tif 000008
【図７】
2012252564.tif 000009
【図８】
2012252564.tif 000010
【図９】
2012252564.tif 000011
【図１０】
2012252564.tif 000012
【図１１】
2012252564.tif 000013
【図１２】
2012252564.tif 000014